(57)【要約】      （修正有）【課題】筆記具から紐が外れにくくすると共に、食材等に混入したとしても取り出しが容易な筆記具を提供する。【解決手段】筆記具は、ステンレス製の長尺円筒状であって貫通軸孔を有する本体１１と、貫通軸孔に挿入されて一端側がペン先部となっており内部にインクの充填されたステンレス製の棒状の筆記部１７と、本体１１の他端にて筆記部１７の移動を止めるステンレス製の止部材１９と、本体１１の他端に取り付けられたステンレス製の取付部材２６と、取付部材２６によって本体１１から離脱しないように配設されたステンレス製の柔軟なワイヤ２８と有する。【選択図】図１
0003145097.tif 000002
【実用新案登録請求の範囲】
【請求項１】
金属製の長尺筒状であって貫通軸孔を有する本体と、該貫通軸孔に挿入された一端側がペン先部となっている棒状の筆記部と、該本体の他端に取り付けられた金属製の取付部材と、該取付部材に取り付けられて延設された金属製の柔軟なワイヤとを設けたことを特徴とする筆記具。
【請求項２】
前記本体の他端にて該筆記部の移動を止める金属製の止部材を設けたことを特徴とする請求項１に記載の筆記具。
【請求項３】
前記止部材が、ねじ部と頭部を有するボルト構造であり、該ねじ部にて前記本体の内周面に設けた内ねじ溝に螺着されることを特徴とする請求項２に記載の筆記具。
【請求項４】
前記止部材に、軸方向に貫通した縦軸孔と、前記頭部を軸直角方向に貫通して縦軸孔を通過する横軸孔とを設けたことを特徴とする請求項３に記載の筆記具。
【請求項５】
前記取付部材が、中心軸孔を有する筒状であって内周面にねじ溝部を有し、該ねじ溝部により、前記本体他端側の外周面に設けた外ねじ溝に螺着されることを特徴とする請求項１から４のいずれか１項に記載の筆記具。
【請求項６】
前記取付部材の中心軸孔の軸方向中間部分が他の部分より大径になっており、該中間部分を挟む軸方向両側の内周面にそれぞれ第１及び第２ねじ溝部が設けられており、該第１及び第２ねじ溝部が前記本体他端の外ねじ溝に螺着可能であることを特徴とする請求項５に記載の筆記具。
【請求項７】
前記取付部材の中心軸孔の他端側の径が他の部分より小径な挿入孔になっており、前記ワイヤの先端に係合部を設け、前記挿入孔に挿入された該ワイヤの該係合部が該挿入孔に係合して該ワイヤが抜け止めされることを特徴とする請求項１から６のいずれか１項に記載の筆記具。
【考案の詳細な説明】
【技術分野】
【０００１】
本考案は、長尺筒状の本体の貫通軸孔に棒状の筆記部が挿入され、筆記部が本体他端側にて抜け止されたボールペン等の筆記具に関する。
【背景技術】
【０００２】
この種の筆記具の一例であるボールペンは、プラスチック製の本体の貫通軸孔にインクの封入された先端がペン先部となった筆記部が挿入されたものである。例えば、食材を調合して食品を製造する食品製造工場のような場所において、製造工程の管理記録等にこのような筆記具が使われている。しかし、プラスチック製の筆記具が食材に混入すると、取り出しが困難になるという問題がある。このような場合に、製造工程を停止ししなければならず、また大量の食材に混入した筆記具を取り出すことも容易ではないことがあった。これに対して、例えば、特許文献１に示すように、筆記具に紐を取り付け、紐の先端を用紙を綴じるボード等に固定することにより、筆記具の食材への落下等を防止することも行われている。しかし、特許文献１によれば、紐も含めて筆記具が食材内に落下することもあり、上述した問題を解消できなかった。
【特許文献１】特開２００７−２１７９５号公報
【考案の開示】
【考案が解決しようとする課題】
【０００３】
本考案は、上記問題を解決しようとするもので、筆記具から紐が外れにくくすると共に、誤って食材に混入したとしても取り出しが容易な筆記具を提供することを目的とする。
【課題を解決するための手段】
【０００４】
上記目的を達成するために、本考案の構成上の特徴は、金属製の長尺筒状であって貫通軸孔を有する本体と、貫通軸孔に挿入された一端側がペン先部となっている棒状の筆記部と、本体の他端に取り付けられた金属製の取付部材と、取付部材に取り付けられて延設された金属製の柔軟なワイヤとを設けたことにある。なお、金属としては、鉄、銅、アルミ等でもよいが、特に錆びが発生し難くい衛生的なステンレスが好ましい。
【０００５】
上記のように構成した本考案においては、ワイヤは、取付部材によって本体から離脱しないようにされているため、筆記具がワイヤから離れて食材等に落下して混入することが防止される。さらに、筆記具を構成する本体、取付部材、ワイヤ共に金属製であるため、誤って大量の食材中に筆記具が混入しても、これらを金属探知器等によって容易に検知することができ、速やかに取り出すことができる。
【０００６】
本考案において、本体の他端にて筆記部の移動を止める金属製の止部材を設けることができる。これにより、筆記部が本体に対して動かないようにされるため、筆記部による安定した筆記が可能になる。また、止部材を、ねじ部と頭部を有するボルトとし、ねじ部にて本体の内周面に設けたねじ溝に螺着させることにより、止部材の本体への取り付けが容易である。さらに、止部材に、軸方向に貫通した縦軸孔と、頭部を軸直角方向に貫通して縦軸孔を通過する横軸孔とを設けることが好ましい。これにより、筆記部を、縦軸孔と横軸孔を通して外部に連通させることができるので、筆記部内のインクの流通を円滑にさせ、スムーズな筆記が可能になる。
【０００７】
また、本考案において、取付部材が、中心軸孔を有する筒状であって内周面にねじ溝部を有し、ねじ溝部により、本体他端側の外周面に設けた外ねじ溝に螺着されることができる。これにより、取付部材が、本体他端に強固に固定される。また、本考案において、取付部材の中心軸孔の軸方向中間部分が他の部分より大径になっており、中間部分を挟む軸方向両側の内周面にそれぞれ第１及び第２ねじ溝部が設けられており、第１及び第２ねじ溝部が本体他端の外ねじ溝に螺着可能であることが好ましい。これにより、取付部材を第１ねじ溝を本体他端の外ねじ溝に螺合させて、外ねじ溝を通過させ、さらに第２ねじ溝を外ねじ溝に螺合させることにより、取付部材が本体に固定される。そのため、筆記具の取り扱いにより、第２ねじ溝が外ねじ溝から外れても、第１ねじ溝が外ねじ溝で止められるため、取付部材の本体からの離脱が確実に避けられる。
【０００８】
また、本考案において、取付部材の中心軸孔の他端側の径が他の部分より小径な挿入孔になっており、ワイヤの先端に係合部を設け、挿入孔に挿入されたワイヤの係合部が挿入孔に係合してワイヤが抜け止めされることが好ましい。これにより、取付部材他端の小径の挿入孔に挿入されたワイヤの先端に設けた係合部が挿入孔に係合することにより、ワイヤが係合部によって本体から確実に抜け止される。
【考案の効果】
【０００９】
本考案によれば、ワイヤは、取付部材によって本体から離脱しないようにされているため、筆記具がワイヤから離れて食材等に落下して混入することが防止される。また、筆記具を構成する本体、取付部材、ワイヤ共に金属製であるため、誤って大量の食材中に筆記具が混入しても、これらを金属探知器等によって容易に検知することができ、速やかに取り出すことができる。
【考案を実施するための最良の形態】
【００１０】
以下、本考案の一実施例について図面を用いて説明する。図１は、一実施例である紐付きの筆記具１０を軸線位置での断面図により概略的に示し、図２は、筆記具の他端側を軸線位置での拡大断面図により示したものである。筆記具１０は、ステンレス製の長尺円筒状であって貫通軸孔１５を有する本体１１と、貫通軸孔１５に挿入されて一端側がペン先部となっており内部にインクの充填されたプラスチック製等の棒状の筆記部１７と、本体１１の他端にて筆記部１７の移動を止めるステンレス製の止部材１９と、本体１１の他端に取り付けられたステンレス製の取付部材２６と、取付部材２６によって本体１１から離脱しないように配設されたステンレス製の柔軟なワイヤ２８と有する。
【００１１】
本体１１は、円筒状の一端側が円錘状に尖った円錐端部１２になっており、円筒状の他端側が他端に向けて縮径された円錐台部１３を経て軸方向に同軸状で延びた中央部分の半分程度に縮径された円筒状の取付端部１４になっており、軸心位置にて軸方向に貫通する貫通軸孔１５を有している。取付端部１４は、図３に示すように、その他端から軸方向の略１／４長さの範囲において、内周面に内ねじ溝１４ａを有し、外周面に外ねじ溝１４ｂを有している。筆記部１７は、貫通軸孔１５よりわずかに短く、先端のペン先部１７ａを設けており、内部にインクが充填されている。筆記部１７は、貫通軸孔１５に挿入されて、ペン先部１７ａが円錐端部１２の先端に係止されて、その先端が外部にわずかに突出している。
【００１２】
止部材１９は、図４，図５に示すように、ねじ部２１と頭部２２とを有するボルト構造であり、軸心位置にて軸方向に貫通する縦軸孔２３を有し、頭部２２にて径方向に縦軸孔２３を通って貫通する１本の横軸孔２４を有している。ねじ部２１の長さは、本体１１の内ねじ溝１４ａと略同一である。止部材１９は、図３に示すように、ねじ部２１にて貫通軸孔１５の内ねじ溝１４ａに螺着され、貫通軸孔１５に挿入された筆記部１７の他端に当接して筆記部１７の本体１１内での移動を防止している。
【００１３】
取付部材２６は、図６，図７に示すように、円筒形で軸心位置にて軸方向に貫通した中心軸孔２７を有している。中心軸孔２７は、軸方向一端から他端にかけて順次、第１ねじ溝部２７ａと、中間部２７ｂと、第２ねじ溝部２７ｃと、挿入孔２７ｄとを有している。第１ねじ溝部２７ａと第２ねじ溝部２７ｃとは、同一長さで同一半径であり、いずれも上記取付端部１４の外ねじ溝１４ｂに螺合可能になっている。中間部２７ｂは、軸方向中間部分２７ｂ１が第１，第２ねじ溝部２７ａ，２７ｃより大径になっており、軸方向中間部分２７ｂ１両端からそれぞれ第１，第２ねじ溝部２７ａ，２７ｃに向けて縮径された円錐部分２７ｂ２になっている。挿入孔２７ｄは、他端に向けて縮径した円錘面になっており他端が小径の開口２７ｅになっている。ワイヤ２８は、開口２７ｅから挿入可能になっており、その先端に球状のボール２９が固定されている。ボール２９は開口２７ｅの径より大径になっており、開口２７ｅに係合可能になっている。ワイヤ２８の他端は、円形に丸められて金属パンチ等で止められた環状端部２８ａにされている。環状端部２８ａは、筆記具１０が挿入可能な大きさになっている。
【００１４】
取付部材２６は、本体１１の取付端部１４に取り付けられるが、その際に開口２７ｅを通してワイヤ２８が挿入されて、その先端に設けたボール２９が開口２７ｅに係合して抜け止めされるようになっている。取付部材２６は、図８に示すように、第１ねじ溝部２７ａにて取付端部１４に螺合され、取付端部１４との螺合を通り抜けると、図９に示すように、中間部２７ｂで自由な状態になる。つづいて、第２ねじ溝部２７ｃが取付端部１４と螺合することにより本体１１に強固に取り付けられる。この状態で、取付部材１４の一端は、本体１１の円錐端部１３に当接して位置決めされており、止部材１９の頭部２２がボール２９に当接して、ボール２９を開口２７ｅに押し付けている。このように組み立てられた筆記具１０は、ワイヤ２８を例えば筆記用のボードの長方形の枠状の押え金具に通すと共に、環状端部２８ａに本体１１を通してワイヤ２８と環状端部２８ａを押え金具に縛り付けることにより、押え金具にしっかり取り付けられ、食材調合工場等のように、簡単に落下しないことが求められる場所で使用される。
【００１５】
上記実施例においては、ワイヤ２８は、取付部材２６によって本体１１から離脱しないようにされているため、筆記具１０がワイヤ２８から離れて食材等に落下して混入することが防止される。また、本実施例においては、筆記具１０を構成する本体１１、筆記部１７、止部材１９、取付部材２６、ワイヤ２８共にステンレス製であるため、誤ってワイヤ２８と共に筆記具１０が大量の食材中に混入しても、これらを金属探知器等によって容易に検知することができ、速やかに取り出すことができる。また、筆記具１０が主にステンレスで形成されているため、錆等が生じる恐れがなく、たとえ食材に混入しても衛生面で問題が少ない。
【００１６】
また、本実施例においては、筆記部１７が本体１１に対して動かないようにされるため、筆記部１７による安定した筆記が可能になる。さらに、止部材１９に、縦軸孔２３と横軸孔２４とを設けたことにより、筆記部１７内部を縦軸孔２３と横軸孔２４を通して外部に連通させることができるので、筆記部１７内のインクの流通を円滑にさせ、スムーズな筆記が可能になる。
【００１７】
また、取付部材２６が、第１ねじ溝部２７ａにて取付端部１４に螺合され、取付端部１４との螺合を通り抜けて中間部２７ｂで自由な状態になり、さらに第２ねじ溝部２７ｃが取付端部１４と螺合することにより本体１１に強固に取り付けられる。そのため、筆記具１０の取り扱いにより、第２ねじ溝部２７ｃが外ねじ溝から外れても、第１ねじ溝２７ａが外ねじ溝で止められるため、取付部材２６の本体１１からの離脱が確実に避けられる。  また、本考案において、取付部材２６他端の挿入孔２７ｄにワイヤ２８を挿入して、先端のボール２９が挿入孔２７ｄに係止されることにより、ワイヤ２８が確実に本体１１に取り付けられて抜けないようにされる。
【００１８】
なお、上記実施例においては、取付部材２６の中心軸孔２７が中間部２７ｂを挟んで第１、第２ねじ溝部２７ａ，２７ｃを設けているが、これに代えて単一のねじ溝部とすることも可能である。また、ワイヤ２８の先端に球状のボール２９が取り付けられているが、ボール以外の係合部を設けてもよく、またボール等を省いてワイヤを直接取付部材に固定させるようにしてもよい。また、上記実施例における筆記具は、筆記部が本体に移動しないように固定されたものであるが、これに代えて筆記部が本体先端から出し入れ可能なノック式の筆記具に対しても本考案を適用できる。その他、上記実施例に示した筆記具については一例であり、本考案の趣旨を逸脱しない範囲において種々変更して実施することができる。
【産業上の利用可能性】
【００１９】
本考案の筆記具は、ワイヤが取付部材によって本体から離脱しないようにされているため、筆記具がワイヤから離れて食材等に落下して混入することが防止され、また、筆記具を構成する本体、取付部材、ワイヤ共に金属製であるため、誤って大量の食材中に筆記具が混入しても、これらを金属探知器等によって容易に検知することができ、速やかに取り出すことができるので、有用である。
【図面の簡単な説明】
【００２０】
【図１】本考案の実施例である筆記具を示す軸線位置での断面図である。
【図２】同筆記具の他端側を示す軸線位置での拡大断面図である。
【図３】同筆記具の本体と止部材の取付部分を拡大して示す断面図である。
【図４】同筆記具の止部材を拡大して示す正面図である。
【図５】同筆記具の止部材を拡大して示す左側面図である。
【図６】同筆記具の取付部材を拡大して示す図７のＶＩ−ＶＩ線方向の断面図である。
【図７】同筆記具の取付部材を拡大して示す左側面図である。
【図８】本体の取付端部への取付部材の第１ねじ溝部の螺着状態を示す断面図である。
【図９】本体の取付端部への取付部材の第２ねじ溝部の螺着状態を示す断面図である。
【符号の説明】
【００２１】
１０：筆記具、１１：本体、１４：取付端部、１７：筆記部、１９：止部材、２６：取付部材、２７：中心軸孔、２８：ワイヤ、２９：ボール。
【図１】
0003145097.tif 000003
【図２】
0003145097.tif 000004
【図３】
0003145097.tif 000005
【図４】
0003145097.tif 000006
【図５】
0003145097.tif 000007
【図６】
0003145097.tif 000008
【図７】
0003145097.tif 000009
【図８】
0003145097.tif 000010
【図９】
0003145097.tif 000011